(57)【特許請求の範囲】
【請求項１】
ゴルフクラブを用いてボールを打撃し、それによって打ち放されたボールを受け止める幕部材を備えたゴルフ練習装置であって、
ボールとしてゴルフボールと異なる軽量な練習用ボールを使用し、
受け止めた打球による衝撃力を吸収する柔軟性を有するとともに、受け止めた打球を所要時間付着、保持する幕部材を具備し、
幕部材は、透明なプラスチック材料から成る基材シートと、その表面に、透明な粘着性を有する物質を層状に設けて形成されたボール保持部とから成り、かつ、
幕部材を構成する上記基材シートの後にゴルフコースの光景を含む写真又は絵から成る目標となる図柄を交換可能に配置し、また、
幕部材を宙吊り状態で設置する設置手段を備えた構成を有するゴルフ練習装置。
【請求項２】
幕部材は前後２枚のシートから成る２重構造を有し、前側のシートの正面が柔軟性と粘着性を有する粘着性を有する物質によって形成されている請求項１記載のゴルフ練習装置。
【請求項３】
幕部材は前後２枚のシートから成る２重構造を有し、前側のシートの後に標的模様又はゴルフコースの光景を含む写真又は絵から成る目標となる図柄を配置した構成を有する請求項１記載のゴルフ練習装置。
【請求項４】
幕部材は、設置手段として上部に設けた吊り下げ部を有しており、吊り下げ部には吊り下げ用のロープを取り付け、吊り下げ用のロープにより幕部材を吊り下げ、新たに用意された自立式の取り付け枠又は既存の取り付け部分に、巻き上げ器を用いて上下位置調節可能に取付けた構成を有している請求項１記載のゴルフ練習装置。
【請求項５】
吊り下げ部は、幕部材の上辺に取り付けた吊り枠と、吊り枠の両端部にそれぞれ掛けた吊り下げ用のロープと、上記のロープを掛け回して巻き取りかつ巻き解く巻き上げ機とから構成されている請求項４記載のゴルフ練習装置。
【発明の詳細な説明】
【技術分野】
【０００１】
本発明は、ゴルフクラブを用いてボールを打撃し、それによって打ち放されたボールを受け止める幕部材を備えたゴルフ練習装置に関するものである。
【背景技術】
【０００２】
ゴルフの愛好者にとっては、より高いレベルを目指すために、身近に練習できる環境を整えることが望まれる。また、練習においては練習の質を高めるとともに密度を高め、確実に身に付くようにつとめる必要があり、それらを満たす設備としては、例えば、コンピューター制御されたシミュレーション装置がベストに近いと考えられる。しかし、シミュレーション装置のある練習場へ出向かねばならず、かといって個人が自宅などに導入するには無理があり問題は単純ではない。
【０００３】
ゴルフ練習装置として考案されたものに、例えば、実開平２−４２６６８号があり、それは奥の壁面ネットに打撃用標的を配置し、上記標的に向けてゴルフボールを打撃するもので、打撃したゴルフボールを受けるボール受けネットを標的の下部に配置したゴルフネットを開示している。実開平２−３７７３号も同様な打ち放し型であるが、このような構成のものでは、打撃の爽快感を得ることはできても、打球の行方を正確に把握することができず、この点において力不足であるといわざるを得ない。
【０００４】
このように、従来の打ち放し型ゴルフ練習器具では、どうしても打球の行方を目で追うことになり、スイング本来の練習に専念することができないという問題が残る。打球の行方を目で追えば、いわゆるヘッドアップを誘発することになる。これは、練習を繰り返したり、実際にプレーを重ねたりしても、これまでの練習器具ないし練習装置等では解決することが難しい問題であるといえる。
【０００５】
【特許文献１】実開平２−３７７３号
【特許文献２】実開平２−４２６６８号
【発明の開示】
【発明が解決しようとする課題】
【０００６】
本発明は前記の点に着目してなされたもので、その課題は、打球の行方を正確に把握することができるゴルフ練習装置を提供することである。また、本発明の他の課題は、打球の行方を目で追わなくても良く、ヘッドアップを誘発しないという安心感を得るとともに、それによって本来のスイングに専念することを可能にする点にある。また、本発明の他の課題は、質の高い練習を屋内でも屋外でも手軽に実行し得るようにすることである。
【課題を解決するための手段】
【０００７】
前記の課題を解決するため、本発明はゴルフクラブを用いてボールを打撃し、それによって打ち放されたボールを受け止める幕部材を備えたゴルフ練習装置について、ボールとしてゴルフボールと異なる軽量な練習用ボールを使用し、受け止めた打球による衝撃力を吸収する柔軟性を有するとともに、受け止めた打球を所要時間付着、保持する幕部材を具備し、幕部材は、透明なプラスチック材料から成る基材シートと、その表面に、透明な粘着性を有する物質を層状に設けて形成されたボール保持部とから成り、かつ、幕部材を構成する上記基材シートの後にゴルフコースの光景を含む写真又は絵から成る目標となる図柄を交換可能に配置し、また、幕部材を宙吊り状態で設置する設置手段を備えた構成を有するものとするという手段を講じたものである。
【０００８】
本発明の装置は、ゴルフクラブを用いて打撃されたボールを幕部材によって受け止め、一時的に保持することによって、打球の方向を表示することができるものである。ボールが一時的に幕部材に保持されるから、練習者は打撃後落ち着いて幕部材に付着したボールを見ることによって、どの方向へどのような角度で飛んだのかが明確に分かり、打球の行方を目で追う必要がない。即ち、一連のスイング動作を終えた後、幕部材表面に付着して保持されているボールの位置を目視することで、打球の行方を正確に把握することができるのであり、ここに本発明の本質的特徴がある。
【０００９】
そのため、本発明の装置では受け止めた打球による衝撃力を吸収する柔軟性を有するとともに、受け止めた打球を所要時間付着、保持する粘着性を有する幕部材を具備するものとする。ゴルフクラブの打撃によってボールが打ち放され、幕部材に当たった位置を表示又は保存するために、まず、打球の有する衝撃力を吸収する柔軟性を有することが幕部材の側に求められる。柔軟性に次いで幕部材に要求される事項は、打球を当たった位置に所要時間付着、保持させておくために、幕部材が粘着性を有することである。幕部材に打球を付着、保持させる時間は、打撃の傾向を把握する観点からはボールが多数残っていることが望ましいのに対して、場合によってはボールがなくなった方が良いこともあるので、少なくとも１ないし数秒間は当たった箇所にて停止し、その後下方移動を開始し、やがて落下することが望ましい。
【００１０】
上記の柔軟性と粘着性を具備する幕部材によって、初めてボールを幕部材の受け止めた場所に上記の時間付着させておくことができるものである。このような柔軟性と粘着性を具備した幕部材には、その正面つまり練習者に面する側に柔軟性と粘着性を有するボール保持部が形成されている。ボール保持部としては、ＴＰＲ又はＴＰＥ（熱可塑性樹脂）に属するものであり、例えば、ゴム系の天然ゴム、合成ゴム、軟質塩化ビニル樹脂、アクリル樹脂系のアクリル酸エステル系共重合体、シリコーン系のシリコーンゴム、その他ビニルエーテル共重合体、ウレタンゴムなどのプラスチック等に粘着性を付与した物質を挙げることができる。
【００１１】
幕部材は、幕部材の正面が透明な樹脂であることが望まれる。透明な粘着性を有する物質を基材シート（透明とする）の表面に層状に設けて幕部材を形成し、基材シートの裏面に標的模様やゴルフ場のコースの光景などを設けておけば、練習者はその正面側からそれらを視認することができる（図１参照）。上記の標的模様やコースの光景等は気分的なものではなく、打撃方向を決める目標となる図柄としても機能するので、本発明の装置を使用する練習者にとって有益なものである必要がある。このため、本発明では、ティーグラウンドからフェアウエーそしてグリーンに至る光景を幕部材に表示することが望まれるのである。
【００１２】
幕部材は前後２枚のシートから成る２重構造を有し、前側のシートの正面が透明な粘着性を有する物質によって形成されているという構成を取ることもできる（図４参照）。前後２枚のシートから成る２重構造の幕部材では、後側のシートに形成されているもの或いは前側のシートと後側のシートの間に挟まれているものを、透明な前側のシートを透過して目視することができる。要するに、２重構造を有する幕部材の、前側のシートの後に標的模様又はゴルフコースの光景を含む写真又は絵から成る目標となる図柄を配置した構成を取ることができる。
【００１３】
また、幕部材は、これを宙吊り状態で設置する設置手段を備えた構成を有している。設置手段としては、上部に設けた吊り下げ部を有し、吊り下げ部は吊り下げ用のロープを有するものとし、吊り下げ用のロープにより幕部材を吊り下げ、新たに用意された自立式の取り付け枠又は既存の取り付け部分に、巻き上げ器を用いて上下位置調節可能に取付けることができる。幕部材を上下位置調節可能に取付けることで、目的とする弾道に適合した位置や使用するゴルフクラブに適合した位置などに、幕部材を配置することができる。自立式の取り付け枠を用いた場合、一定のスペースさえあれば本発明の装置を設置することができるが、自立式の取り付け枠を用いた場合においても、また、既存の取り付け部分に取り付ける場合でも、幕部材が宙吊りの状態で、定位置に配置されることが必要である。
【００１４】
吊り下げ部は、幕部材の上辺に取り付けた吊り枠と、吊り枠の両端部にそれぞれ掛けた吊り下げ用のロープと、上記のロープを掛け回して巻き取りかつ巻き解く巻き上げ器とから構成することができる。吊り下げ部をこのような構成とすることによって、練習装置の設置及び撤収を容易に行うことができる。
【００１５】
本発明の装置において、幕部材に受け止められ、所定時間付着、保持された後、落下したボールを回収するために、落下球捕球用トレイを幕部材の下方に備えるのは望ましいことである。本発明の装置では、ボールは幕部材に所要の時間保持されてから自然落下するので、落下位置は幕部材のほぼ真下であり、全てのボールを確実に回収することが可能である。
【００１６】
なお、本発明の装置に用いるボールは実際のゴルフボールではなく、近距離で強打しても幕部材によって受け止められる程度の質量を持ったボールが適している。この種のボールとしてはポリエチレン製のディンプル付き中空ボールや中空なプラスチック製の穴明きボール、セフティーボールなどと呼ばれているスポンジ製のボール、或いはフロッピー（商品名）などと呼ばれている室内用の練習用ボールなどがある。
【発明の効果】
【００１７】
本発明は以上のように構成されかつ作用するものであり、受け止めた打球が幕部材に１ないし数秒間付着、保持されるから、打球の行方を正確に把握することができるという効果を奏する。また、本発明によれば、打球の行方を目で追わなくても良く、ヘッドアップを誘発しないという安心感を得ることができるので、その結果、本来のスイングに専念することが可能になる。また、本発明によれば、他の方式では得難く、質の高い練習を屋内でも屋外でも手軽に実行することができる。
【発明を実施するための最良の形態】
【００１８】
以下、図示の実施形態を参照して本発明をより詳細に説明する。図１は本発明に係るゴルフ練習装置１０を最も簡便にした例１に関するもので、１１は幕部材を示しており、方形に形成されている。幕部材１１は、透明なプラスチック材料から成る基材シート１２の表面に、透明な粘着性を有する物質から成るボール保持部１３を層状に設けて形成されている（図２Ａ、図２Ｂ）。上記基材シート１２の正面側（裏面側も可能）には、標的模様１４が印刷されており、透明なボール保持部１３を透して目視される（標的模様１４は、あえて設けないこともある。）。
【００１９】
上記例１の基材シート１２は、例えばポリプロピレンシートから成り、また、ボール保持部１３に、例えば軟質の軟質塩化ビニル樹脂から成る粘着性を有する物質を使用することができる。上記の樹脂は非常に柔らかく、かつ、粘着性を有しており、柔軟性によって打球の衝撃力を吸収でき、ボール１５を当たった位置で正確に受け止め、さらに粘着性によって当たった位置にボール１５を保持するものである。ボール１５は、図１及び図２にはポリエチレン製のディンプル付き中空ボールとして示している。しかし、前記したようにプラスチック製の穴明きボールやスポンジ製のボール、フロッピー（商品名）などと呼ばれる室内練習用ボールなどを使用することも可能である。
【００２０】
ボール保持部１３にてボール１５を保持し得る時間は、気温の高低、粘着性を有する物質表面の汚れ具合、表面の平滑性等の条件によっても変化し、また、使用するボール１５の材質ないし質量等の条件によっても変化する。粘着性を有する物質が上記の軟質の軟質塩化ビニル樹脂から成り、ポリエチレン製のディンプル付き中空ボールを使用した場合、ボール１５は１ないし数秒間は停止しており、落下するまでには１０〜２０秒間程度保持される。この程度のボール停止、保持時間が得られれば、打球の方向を表示するのに十分である。なお、粘着性を有する物質表面が使用によって汚れたときは、その汚れを洗浄して乾燥させれば、粘着性は元通りに回復する。
【００２１】
このような幕部材１１は、使用する際に、設置手段１６によって宙吊り状態にして設置する。例１における設置手段１６は、基材シート１２の上辺に補強桟１７を取り付けその左右両端部に吊り下げ用のロープ１８を取り付けて構成されているもので、手近にある確かな設置部にロープ１８を固定して使用する単純な吊り下げ式である。さらに、基材シート１２の下辺にも補強桟１７′を取り付け、その左右両端部に吊り下げ用のロープ１８′を取り付けて下部の設置手段１６′を構成することも可能であり、基材シート１２は、より安定的に設置される。１９、１９′は吊り手であり、上部の吊り手１９は任意の構造物に支持させ、下部の吊り手１９′には重り等を取り付けることができる。
【００２２】
例１のゴルフ練習装置１０によれば、ボール１５を、ゴルフクラブを用いて打撃し、その結果打ち放されたボール１５が幕部材１２に当たると、ボール１５による打撃の衝撃力をボール保持部１３の柔軟性を有する粘着性を有する樹脂が吸収して受け止め、かつまた同時に、粘着性によってボール１５をボール保持部１３の当たった箇所に保持するように作用する。こうして、ボール１５が幕部材１１に当たると、ボール１５は当たった位置に１ないし数秒間程度停止し、その後粘着性を有する物質表面をゆっくりと転がりながら下方へ移動し、粘着性物質表面から離れて落下する。従って、落下するまでの間、練習者はボール１５を見て、どの方向へどのような角度で飛んだのかを明確に把握できるので、打球の行方を目で追う必要がないものである。
【００２３】
本発明においては、さらに幕部材１１打撃の目標となるものを加えることによって、より実戦的な練習ができるように構成することができるので、以下にゴルフ練習装置２０の例２を説明する。図３に示す例２のゴルフ練習装置２０において、２１は幕部材を示しており、それ自体は横長の長方形に形成された正面形状を有するが、幕部材２１は前後２枚のシート２２、２３から成る２重構造を有している（図４参照）。前側のシート２２及び後側のシート２３は、ともに例１の基材シート１２と同様の透明なプラスチック材料から成る。しかし、幕部材２１の形状は、横長ないしは縦長の長方形に限るものではない。
【００２４】
上記例２の前側のシート２２及び後側のシート２３も、例１と同様にポリプロピレンシートから成るもので良い。また、前側のシート２２の正面のボール保持部２４には、例えば軟質塩化ビニル樹脂から成る粘着性を有する物質を使用することができる。これら前側のシート２２及び後側のシート２３の間に、上記目標となる図柄２５の配置空所２６を設けるために、前側のシート２２及び後側のシート２３を一体に形成してその下部にて折り返すか、或いは別々に形成した前側のシート２２及び後側のシート２３を図４に示す如く一体に形成して底部２７を形成しておく。
【００２５】
上記の目標となる図柄２５は、標的模様１４やコースの光景等を含む写真又は絵から構成されるシート状のものとして用意する。標的模様１４については、前側のシート１２の裏面側（正面側でも良い。）に印刷しているが、標的模様１４をシート状のものとして用意し、差し替えられるようにすることも当然可能である。配置空所２６への差し替えは、上方の隙間からでも、また、左右側方の隙間からでも可能とする。これらの標的模様やコースの光景等から成る図柄２５は、臨場感を得ることができるとともに、打撃方向を決める目標となる図柄としても機能するものである。
【００２６】
即ち、図３に示した例２ではフェアウエーの写真又は絵から成る図柄２５−１と、グリーンの写真又は絵から成る図柄２５−２が、例えば、用意される。また、図４は、透明な樹脂シートに標的模様を記載した図柄２５−３と、コースの光景等を含む写真又は絵から構成される図柄２５を用意し、配置空所２６に重ねて配置する例を示している。なお、標的模様を記載した図柄２５−３の樹脂シートを用いる場合は、幕部材２１に標的模様１４を設ける必要はない。例２において、符号２８は補強桟、２９、２９′はロープを夫々示す。補強桟２８の左右端部には滑車３１、３１′が吊り手２８ａによって取り付けられ、上記滑車３１、３１′に２組のロープ２９、２９′を掛けてそれぞれを吊り下げ、巻き上げ器３５と一体化した設置手段３０を構成している。
【００２７】
設置手段３０は、例えば図５に示したように、２組のロープ２９、２９′の一端を夫々固定した一対のる吊り下げ用の係止部３２、３２′と、各ロープ２９、２９′の他端側を滑車３１、３１′に通して幕部材２１を吊り下げるとともに、係止部３２、３２′の滑車３３、３３′に掛けて構成された巻き上げ器３５を用いて上下位置調節可能に取付けた構成を有している。３４は操作端部であり、滑車３３′、３４′から引き出した２組のロープ２９、２９′の他端に取り付けたものである。また、３６は定位置にある棒状の部材であって、手近にある設置部の例である。
【００２８】
例２のゴルフ練習装置２０は、係止部３２、３２′をフック部にて棒状の部材３６に掛けて幕部材２１を設置するが、設置の際には操作端部３４を操作して幕部材２１の上下位置を調節し、適切な調節位置で固定する。従って、練習場の広狭、或いはスイング練習で使用するクラブの種類、その他の条件に応じて最適の高さに幕部材２１を配置することができる。
【００２９】
図６は例２に示したゴルフ練習装置２０と同様の設置部３６として、例えば物干し竿のような棒状の部材を使用することができる例３を示している。幕部材２１が小さく、打球がそれる恐れがある場合には、十分な面積を有する防護シート材３７を設置部３６に配置しておく。シート材３７として、例えばカーテン、ネット類ないしはブルーシートの類を使用することができる。或いは、使い古したシーツや毛布、カーペット等も、防護用のシート材３７として使用し得る。しかし、あまり硬質のものは幕部材２１に密着しないように離して配置すべきである。
【００３０】
図６は、設置部３６として物干し竿の類でも使用できることを示しており、この設置部３６には例１のゴルフ練習装置１０も設置することができる。従って、本発明のゴルフ練習装置１０、２０は庭先や裏庭にでも設置ができることが分かる。幕部材２１に受け止められて所定時間付着、保持された後、落下したボールを回収するために、落下球捕球用トレイ３８を幕部材２１の下方に備えて置くことが望ましい。なお、防護用のシート材３７は宙吊り状態に設置されるものであり、これを幕部材２１の設置手段として使用することも可能である。例えば、シート材３７の正面の要所に面ファスナーの雌側を設けるか或いは雌側として利用可能な布類によってシート材３７を形成し、幕部材２１の背面に面ファスナーの雄側を設けることで、幕部材２１をシート材３７に着脱可能に設置することができる。
【００３１】
次に、新たに用意された自立式の取り付け枠３９を併用する本発明のゴルフ練習装置の例４について、図７を参照して説明する。例４のゴルフ練習装置４０における取り付け枠３９は、下端部にポール立て部４３を有し、上端部に竿掛け部４４を有する左右一対の伸縮式ポール４１、４２と、それらの竿掛け部４４、４４間に渡した竿部４５から成り、竿部４５には例えばカーテン、ネット類から成る、例３と同様のシート材３７が吊り下げられている。伸縮式ポール４１、４２はポール下部側に設けた調節部４１ａ、４２ａを操作して、ポール上部側を上げ下げすることができる。ポール立て部４３は内部に水または砂を充填する方式であるが、同図中に併記したような、十字型の構造を有する安定脚から成るポール立て部４３′でも良い。
【００３２】
例４に示した本発明に係るゴルフ練習装置４０は自立式であるから、本装置４０を設置する空間及びクラブを用いてボール１５を打撃する空間、それらの間の適当な空間があれば、どこにでも設置可能であることが分かる。そして、例４の装置４０の場合、巻き上げ器３５による上下位置調節と共に、左右一対の伸縮式ポール４１、４２によっても、幕部材２１を上下位置調節可能であるから、練習者と本装置４０との間隔が離れている場合でも十分な調節能力があり、従って、より大型にする場合に適している。なお、自立式とは言っても、自立状態でしか使用できないわけではなく、安全を確保のため張り線によって左右一対の伸縮式ポール４１、４２を補強することなどは適宜可能とする。
【００３３】
本発明に係るゴルフ練習装置はこのように構成され、かつ作用するものであって、打ち放されたボール１５を、１ないし数秒間だけ、幕部材１１、２１に付着させておくことができるという特徴を有する。ゴルフクラブによって打撃されたボール１５が幕部材１１、２１に当たると、その正面のボール保持部１３は柔軟性を有する粘着性物質から成っているので、ボール１５が打撃の衝撃力で食い込み１５ａ（図２参照）を生じ、接触面積を増した状態になり、粘着性物質が有する粘着性によって保持された状態を保つ。しかし、やがては時間の経過とともに、ボール保持部１３の樹脂の弾力性によってボール保持部１３のへこみが復元し、また、ボール１５には重力も作用しているので、停止した状態を維持できなくなり下方へ移動することになる。
【００３４】
ボール１５がボール保持部１３に当たり付着するとその位置で少なくとも１〜５秒間は停止し、その後ゆっくりと粘着性を有する物質表面を転がりやがて落下するが、付着してから落下までの時間が１０〜２０秒間程度はあるので、練習者が打球の行方を確認するには十分である。従って、最初に打撃したボール１５が付着している間に、次々とボール１５を打撃すれば、複数個のボール１５をボール保持部１３に同時的に付着させることも可能であり（図６）、練習者は自己のスイングの傾向を正確に把握し、修正に役立てることができるであろう。
【００３５】
図８を参照してより具体的に説明すると、図８では３個のボール１５−１、１５−２、１５−３がボール保持部１３に付着しており、数字は幕部材に当たった順番を示す。ボール１５は、ボール保持部１３に付着すると上記３〜５秒間停止した後、下方へ移動して行くので、付着後経過した時間に比例して各ボール１５の移動距離Ｌ１、Ｌ２、Ｌ３は伸びて行く。そして最初に付着したボール１５−１は、距離Ｌ１を移動してボール保持部１３の下端に達すると落下する。こうして、練習者は打席を離れることなく、一般のゴルフ練習場における練習時と同様に、複数個のボール１５を次々と幕部材１１、２１に打ち込むことができるので、スタンスを変えることなくタイムリーにスイングの矯正を行うことができる。また、本発明によれば、打撃したボール１５を一々回収しに行くわずらわしさがない。従って、本発明によれば打球の行方を目で追うことなく、スイング本来の練習に専念することができるという、質の高い練習が実現する。
【００３６】
本発明の装置１０、２０、４０を長時間設置したままにしておく場合、粘着性物質から成る幕部材１１、２１に他のものが触れたり、埃等が集ったりすることを防止するため、幕部材１１、２１の表面を離型紙（セパレートペーパー）或いは表面に細かい凸凹を有する軟質プラスチックシートで覆っておくことが望ましい。本発明のゴルフ練習装置１０、２０、４０を使用せずに保管しておくときも同様である。なお、使用するボール１５については色分けなど区別できるものを使用すると、今、打ったボールかどうかを判別することも可能である。
【図面の簡単な説明】
【００３７】
【図１】本発明に係るゴルフ練習装置の例１を示す正面説明図である。
【図２】Ａは図１のＩＩＡ−ＩＩＡ線の断面図、Ｂはその一部を拡大して示す断面図である。
【図３】同じくゴルフ練習装置の例２を示す斜視図である。
【図４】同上要部の横断面と交換するシートの種類を示す断面図である。
【図５】同じく例２の装置の巻き上げ機の例を示す正面図である。
【図６】同じく例３の装置の正面を示す斜視図である。
【図７】同じく例４の装置の正面を示す斜視図である。
【図８】同じくボールの停止と位置変化を示す斜視図である。
【符号の説明】
【００３８】
１０、２０、４０  ゴルフ練習装置
１１、２１        幕部材
１２              基材シート
１３、２４        ボール保持部
１４              標的模様
１５、１５−１、１５−２、１５−３  ボール
１６、１６′、３０  設置手段
１７、１７′、２８  補強桟
１８、１８′、２９、２９′  ロープ
１９、１９′      吊り手
２２              前側のシート
２３              後側のシート
２５、２５−１、２５−２、２５−３  図柄
２６              配置空所
２７              底部
３１、３１′      滑車
３２、３２′      係止部
３３、３３′、３４′  滑車
３４              操作端部
３５              巻き上げ器
３６              棒状の部材
３７              シート材
３８              落下球捕球用トレイ
３９              取り付け枠
４１、４２        伸縮式ポール
４３、４３′      ポール立て部
４４              竿掛け部
４５              竿部
【図１】
0005567393.tif 000002
【図２】
0005567393.tif 000003
【図３】
0005567393.tif 000004
【図４】
0005567393.tif 000005
【図５】
0005567393.tif 000006
【図６】
0005567393.tif 000007
【図７】
0005567393.tif 000008
【図８】
0005567393.tif 000009